(57)【要約】【課題】  複数の表示部を利用して複数のタスクを同時に処理する移動通信端末機を実現し、ユーザーにマルチタスクを実行する移動通信端末機を提供する。【解決手段】  移動通信端末機の表示装置は、ユーザーの指示を受信する入力部と、同時に２つ以上のタスクを行うことができ、前記受信された指示を表示部に伝達する制御部と、前記指示に従って表示を行う第１表示部と、前記第１表示部と同時に見える位置に設けられ、前記指示に従って表示を行う第２表示部とから構成される。【選択図】  図１
2006087108.tif 000002
【特許請求の範囲】
【請求項１】
ユーザーの指示を受信する入力部と、
少なくとも１つ以上のタスクを行い、前記ユーザーの指示に従って少なくとも１つ以上の表示部を活性化する制御部と、
前記ユーザーの指示に従って、活性化されて前記行われたタスクを表示する表示部と、
から構成されることを特徴とする移動通信端末機の表示装置。
【請求項２】
前記表示部は、
前記指示に従って表示を行う第１表示部と、
前記第１表示部と同時に見える位置に設けられ、前記指示に従って表示を行う第２表示部とから構成されることを特徴とする請求項１に記載の移動通信端末機の表示装置。
【請求項３】
前記第２表示部は、
第１表示部と独立的に動作することを特徴とする請求項２に記載の移動通信端末機の表示装置。
【請求項４】
前記制御部は、
前記受信された指示が表示切り替えを意味する場合、前記第１表示部のタスクと第２表示部のタスクとを切り替えて表示することを特徴とする請求項２に記載の移動通信端末機の表示装置。
【請求項５】
前記制御部は、
前記受信された指示がタスクリスト表示を意味する場合、第１表示部又は第２表示部に、現在実行中であるか、又は実行可能なタスクのリストを表示することを特徴とする請求項２に記載の移動通信端末機の表示装置。
【請求項６】
前記制御部は、
前記受信された指示が活性化表示部の切り替えを意味する場合、現在活性化された表示部を非活性化させ、非活性化された表示部を活性化させることを特徴とする請求項２に記載の移動通信端末機の表示装置。
【請求項７】
前記制御部は、
第２表示部の上段に、現在実行中であるか、又は実行可能なタスクのアイコンを表示し、ユーザーが前記アイコンのうち１つを選択すると、前記選択されたアイコンのタスクを第１表示部に表示することを特徴とする請求項２に記載の表示方法。
【請求項８】
前記移動通信端末機は、
第１本体と第２本体から構成され、
前記第２本体は第１本体に対して縦方向に回動することを特徴とする請求項２に記載の移動通信端末機の表示装置。
【請求項９】
前記第１表示部及び第２表示部は、
前記第２本体に形成されることを特徴とする請求項8に記載の移動通信端末機の表示装置。
【請求項１０】
前記第１表示部及び第２表示部は、
前記第１本体と第２本体にそれぞれ形成されることを特徴とする請求項8に記載の移動通信端末機の表示装置。
【請求項１１】
前記移動通信端末機は、
第１本体と第２本体から構成され、
前記第２本体は第１本体に対して横方向に回動することを特徴とする請求項２に記載の移動通信端末機の表示装置。
【請求項１２】
前記第１表示部及び第２表示部は、
前記第２本体に形成されることを特徴とする請求項１1に記載の移動通信端末機の表示装置。
【請求項１３】
前記第１表示部及び第２表示部は、
前記第１本体と第２本体にそれぞれ形成されることを特徴とする請求項１1に記載の移動通信端末機の表示装置。
【請求項１４】
前記移動通信端末機は、
第１本体と第２本体から構成され、
前記第１本体は第２本体の上下方向に摺動できることを特徴とする請求項２に記載の移動通信端末機の表示装置。
【請求項１５】
前記第１表示部及び第２表示部は、
前記第１本体に形成されることを特徴とする請求項１4に記載の移動通信端末機の表示装置。
【請求項１６】
前記第１表示部及び第２表示部は、
前記第１本体と第２本体にそれぞれ形成されることを特徴とする請求項１4に記載の移動通信端末機の表示装置。
【請求項１７】
前記第２表示部は、
前記第２本体の下段に形成され、前記第１本体が第２本体の上方に摺動したとき、現れることを特徴とする請求項１6に記載の移動通信端末機の表示装置。
【請求項１８】
前記第２表示部は、
前記第２本体の上段に形成され、前記第１本体が第２本体の下方に摺動したとき、現れることを特徴とする請求項１6に記載の移動通信端末機の表示装置。
【請求項１９】
前記制御部は、
前記受信された指示が新しいタスクの追加実行を意味する場合、第１表示部又は第２表示部にメニュー項目を表示し、
ユーザーがメニュー項目のアイコンのうち１つを選択すると、前記選択されたアイコンに該当するタスクを実行し、
前記選択されたアイコンを現在実行中のタスクリストに追加することを特徴とする請求項２に記載の移動通信端末機の表示装置。
【請求項２０】
ユーザーが第１表示部又は第２表示部を選択する表示部選択手段をさらに含むことを特徴とする請求項１に記載の移動通信端末機の表示装置。
【請求項２１】
前記タスクは、
独立的であることを特徴とする請求項１に記載の移動通信端末機の表示装置。
【請求項２２】
前記制御部は、少なくとも１つ以上のタスクを同時に行うことを特徴とする請求項１に記載の移動通信端末機の表示装置。
【請求項２３】
ユーザーの指示を受信する入力部と、
同時に2つ以上のタスクを行うことができ、前記受信されたユーザーの指示を表示部に伝達する制御部と、
複数の表示区域に分けられ、前記指示に従って各表示区域が独立的な表示を行う表示部と
から構成されたことを特徴とする移動通信端末機の表示装置。
【請求項２４】
ユーザーが前記表示区域の１つを選択する表示区域選択手段をさらに含むことを特徴とする請求項２3に記載の移動通信端末機の表示装置。
【請求項２５】
同時に2つ以上のタスクを行う移動通信端末機において、
ユーザーの指示を受信する過程と、
受信された指示に従って、第１表示部又は第２表示部を活性化させる過程と、
受信された指示に従って、前記活性化された表示部のタスクを処理する過程と
からなることを特徴とする表示方法。
【請求項２６】
前記移動通信端末機が１つのタスクのみを行う場合、タスクを処理しない表示部は待機状態を維持することを特徴とする請求項２5に記載の表示方法。
【請求項２７】
前記移動通信端末機が２つ以上のタスクを実行中である場合、ユーザーの指示に従って前記タスクを第１表示部と第２表示部にそれぞれ表示することを特徴とする請求項２5に記載の表示方法。
【請求項２８】
前記受信された指示が表示切り替えを意味する場合、活性化の表示部のタスクと非活性化の表示部のタスクとを切り替えて表示することを特徴とする請求項２5に記載の表示方法。
【請求項２９】
前記受信された指示がタスクリスト表示を意味する場合、前記活性化の表示部に、現在実行中であるか、又は実行可能なタスクのリストを表示することを特徴とする請求項２5に記載の表示方法。
【請求項３０】
前記受信された指示が 活性化表示部の切り替えを意味する場合、現在活性化された表示部を非活性化させ、非活性化された表示部を活性化させることを特徴とする請求項２5に記載の表示方法。
【請求項３１】
ユーザーの指示を受信する入力部と、
同時に2つ以上のタスクを行うことができ、前記受信された指示を表示部に伝達する制御部と、
前記指示に従って表示を行う第１表示部と、
前記指示に従って前記第１表示部に表示を行う第２表示部と
から構成されることを特徴とする移動通信端末機の表示装置。
【請求項３２】
前記タスクは、
独立的であることを特徴とする請求項31に記載の移動通信端末機の表示装置。
【請求項３３】
前記第２表示部は、
第１表示部と独立的に動作することを特徴とする請求項31に記載の移動通信端末機の表示装置。
【請求項３４】
前記第２表示部は、
前記受信された指示がタスクリストの表示を意味する場合、現在実行中であるか、又は実行可能なタスクのリストを第１表示部に表示することを特徴とする請求項31に記載の移動通信端末機の表示装置。
【請求項３５】
前記第２表示部は、
前記タスクのリストを第１表示部の下段に表示することを特徴とする請求項３4に記載の移動通信端末機の表示装置。
【請求項３６】
前記第２表示部は、
前記タスクのリストをポップアップ形式で第１表示部に表示することを特徴とする請求項３4に記載の移動通信端末機の表示装置。
【請求項３７】
前記制御部は、
ユーザーが前記リストのタスクのうち１つを選択したとき、前記選択されたタスクを前記第１表示部に表示することを特徴とする請求項３4に記載の移動通信端末機の表示装置。
【請求項３８】
ユーザーが所望する画面を選択可能にする表示部選択手段をさらに含むことを特徴とする請求項31に記載の移動通信端末機の表示装置。
【発明の詳細な説明】
【技術分野】
【０００１】
本発明は、マルチタスクが実現された移動通信端末機に関し、特に、マルチタスクが実現された移動通信端末機の表示装置及び方法に関する。
【背景技術】
【０００２】
初期の移動通信端末機は、音声通信のみのために使用されたが、徐々にその機能が多様になり、現在は、音声通信だけでなくインターネットサービス及びマルチメディアサービスを提供している。また、最近の移動通信端末機は、超小型のメモリチップやデジタル撮像素子が開発されることにより、ｍｐ３プレーヤーとデジタルカメラの機能までも実行する一体型（All-in-one）機器に発展している。
【０００３】
このように移動通信端末機が多様な機能を備えるにつれて、ユーザーは、マルチタスクが実現された移動通信端末機の出現を期待するようになり、実際にマルチタスクを実行する移動通信端末機が開発されて発表されている。
【０００４】
マルチタスクとは、複数のタスクを同時に実行させる機能のことであり、マルチタスクが実現された移動通信端末機は、ショートメッセージサービス（Short Message Service）を利用すると同時に、通話や音楽ファイルの再生などを実行することができる。また、動画ファイルを再生すると同時に、インスタントメッセンジャーを利用したデータ通信を行うことができる。
【発明の開示】
【発明が解決しようとする課題】
【０００５】
本発明の目的は、複数の画面を利用して複数のタスクを同時に処理し得る移動通信端末機の表示装置及び方法を提供することにある。
【課題を解決するための手段】
【０００６】
前記のような目的を達成するために、本発明に係る移動通信端末機の表示装置は、ユーザーの指示を受信する入力部と、同時に２つ以上のタスクを行うことができ、前記受信された指示を表示部に伝達する制御部と、前記指示に従って表示を行う第１表示部と、前記第１表示部と同時に見える位置に設けられ、前記指示に従って表示を行う第２表示部とから構成されることを特徴とする。
【０００７】
好ましくは、前記タスクは、独立的である。
【０００８】
好ましくは、前記第２表示部は、第１表示部と独立的に動作する。
【０００９】
好ましくは、前記制御部は、前記受信された指示が表示切り替えを意味する場合、前記第１表示部のタスクと第２表示部のタスクとを切り替えてして表示する。
【００１０】
好ましくは、前記制御部は、前記受信された指示がタスクリスト表示を意味する場合、第１表示部又は第２表示部に、現在実行中であるか、又は実行可能なタスクのリストを表示する。
【００１１】
好ましくは、前記制御部は、前記受信された指示が現在活性化（active）された表示部を非、非活性化された表示部を活性化させる指示である場合、前記活性化された表示部のタスクをしばらく中断し、非活性の表示部のタスクを処理する。
【００１２】
好ましくは、前記移動通信端末機は、折り畳み型である。
【００１３】
好ましくは、前記移動通信端末機は、スライド型である。
【００１４】
好ましくは、前記移動通信端末機は、ユーザーが第１表示部又は第２表示部を選択する表示部選択手段をさらに含む。
【００１５】
前記のような目的を達成するために、本発明に係る移動通信端末機の表示装置は、ユーザーの指示を受信する入力部と、同時に２つ以上のタスクを行うことができ、前記受信されたユーザーの指示を表示部に伝達する制御部と、複数の表示区域に分けられ、前記指示に従って各表示区域が独立的な表示を行う表示部とから構成されたことを特徴とする。
【００１６】
好ましくは、前記移動通信端末機は、ユーザーが前記表示区域の１つを選択する表示区域選択手段をさらに含む。
【００１７】
前記のような目的を達成するために、本発明に係る表示方法は、同時に少なくとも１つ以上のタスクを行う移動通信端末機に関するもので、ユーザーの指示を受信する過程と、受信された指示に従って、第１表示部又は第２表示部を活性化させる過程と、受信された指示に従って、前記活性化された表示部のタスクを処理する過程とからなることを特徴とする。
【００１８】
好ましくは、前記移動通信端末機が１つのタスクのみを行う場合、タスクを処理しない表示部は待機状態を維持する。
【００１９】
好ましくは、前記移動通信端末機が２つ以上のタスクを実行中である場合、ユーザーの指示に従って前記タスクを第１表示部と第２表示部にそれぞれ表示する。
【００２０】
好ましくは、前記受信された指示が表示切り替えを意味する場合、活性化の表示部のタスクと非活性化の表示部のタスクとを切り替えて表示する。
【００２１】
好ましくは、前記受信された指示がタスクリスト表示を意味する場合、前記活性化の表示部に、現在実行中であるか、又は実行可能なタスクのリストを表示する。
【００２２】
好ましくは、前記受信された指示が前記活性化の表示部を非活性化させ、非活性化の表示部を活性化することを意味する場合、前記活性化の表示部のタスクはしばらく中断し、非活性化の表示部のタスクを処理する。
【００２３】
または、本発明は、以下を提供する：
（項目１）
ユーザーの指示を受信する入力部と、
少なくとも１つ以上のタスクを行い、前記ユーザーの指示に従って少なくとも１つ以上の表示部を活性化する制御部と、
前記ユーザーの指示に従って、活性化されて前記行われたタスクを表示する表示部と、
から構成されることを特徴とする移動通信端末機の表示装置。
（項目２）
前記表示部は、
前記指示に従って表示を行う第１表示部と、
前記第１表示部と同時に見える位置に設けられ、前記指示に従って表示を行う第２表示部とから構成されることを特徴とする項目１に記載の移動通信端末機の表示装置。
（項目３）
前記第２表示部は、
第１表示部と独立的に動作することを特徴とする項目２に記載の移動通信端末機の表示装置。
（項目４）
前記制御部は、
前記受信された指示が表示切り替えを意味する場合、前記第１表示部のタスクと第２表示部のタスクとを切り替えて表示することを特徴とする項目２に記載の移動通信端末機の表示装置。
（項目５）
前記制御部は、
前記受信された指示がタスクリスト表示を意味する場合、第１表示部又は第２表示部に、現在実行中であるか、又は実行可能なタスクのリストを表示することを特徴とする項目２に記載の移動通信端末機の表示装置。
（項目６）
前記制御部は、
前記受信された指示が活性化表示部の切り替えを意味する場合、現在活性化された表示部を非活性化させ、非活性化された表示部を活性化させることを特徴とする項目２に記載の移動通信端末機の表示装置。
（項目７）
前記制御部は、
第２表示部の上段に、現在実行中であるか、又は実行可能なタスクのアイコンを表示し、ユーザーが前記アイコンのうち１つを選択すると、前記選択されたアイコンのタスクを第１表示部に表示することを特徴とする項目２に記載の表示方法。
（項目８）
前記移動通信端末機は、
第１本体と第２本体から構成され、
前記第２本体は第１本体に対して縦方向に回動することを特徴とする項目２に記載の移動通信端末機の表示装置。
（項目9）
前記第１表示部及び第２表示部は、
前記第２本体に形成されることを特徴とする項目8に記載の移動通信端末機の表示装置。
（項目10）
前記第１表示部及び第２表示部は、
前記第１本体と第２本体にそれぞれ形成されることを特徴とする項目8に記載の移動通信端末機の表示装置。
（項目１1）
前記移動通信端末機は、
第１本体と第２本体から構成され、
前記第２本体は第１本体に対して横方向に回動することを特徴とする項目２に記載の移動通信端末機の表示装置。
（項目１2）
前記第１表示部及び第２表示部は、
前記第２本体に形成されることを特徴とする項目１1に記載の移動通信端末機の表示装置。
（項目１3）
前記第１表示部及び第２表示部は、
前記第１本体と第２本体にそれぞれ形成されることを特徴とする項目１1に記載の移動通信端末機の表示装置。
（項目１4）
前記移動通信端末機は、
第１本体と第２本体から構成され、
前記第１本体は第２本体の上下方向に摺動できることを特徴とする項目２に記載の移動通信端末機の表示装置。
（項目１5）
前記第１表示部及び第２表示部は、
前記第１本体に形成されることを特徴とする項目１4に記載の移動通信端末機の表示装置。
（項目１6）
前記第１表示部及び第２表示部は、
前記第１本体と第２本体にそれぞれ形成されることを特徴とする項目１4に記載の移動通信端末機の表示装置。
（項目１7）
前記第２表示部は、
前記第２本体の下段に形成され、前記第１本体が第２本体の上方に摺動したとき、現れることを特徴とする項目１6に記載の移動通信端末機の表示装置。
（項目１8）
前記第２表示部は、
前記第２本体の上段に形成され、前記第１本体が第２本体の下方に摺動したとき、現れることを特徴とする項目１6に記載の移動通信端末機の表示装置。
（項目19）
前記制御部は、
前記受信された指示が新しいタスクの追加実行を意味する場合、第１表示部又は第２表示部にメニュー項目を表示し、
ユーザーがメニュー項目のアイコンのうち１つを選択すると、前記選択されたアイコンに該当するタスクを実行し、
前記選択されたアイコンを現在実行中のタスクリストに追加することを特徴とする項目２に記載の移動通信端末機の表示装置。
（項目２0）
ユーザーが第１表示部又は第２表示部を選択する表示部選択手段をさらに含むことを特徴とする項目１に記載の移動通信端末機の表示装置。
（項目２１）
前記タスクは、
独立的であることを特徴とする項目１に記載の移動通信端末機の表示装置。
（項目２２）
前記制御部は、少なくとも１つ以上のタスクを同時に行うことを特徴とする項目１に記載の移動通信端末機の表示装置。
（項目２3）
ユーザーの指示を受信する入力部と、
同時に2つ以上のタスクを行うことができ、前記受信されたユーザーの指示を表示部に伝達する制御部と、
複数の表示区域に分けられ、前記指示に従って各表示区域が独立的な表示を行う表示部と
から構成されたことを特徴とする移動通信端末機の表示装置。
（項目２4）
ユーザーが前記表示区域の１つを選択する表示区域選択手段をさらに含むことを特徴とする項目２3に記載の移動通信端末機の表示装置。
（項目２5）
同時に2つ以上のタスクを行う移動通信端末機において、
ユーザーの指示を受信する過程と、
受信された指示に従って、第１表示部又は第２表示部を活性化させる過程と、
受信された指示に従って、前記活性化された表示部のタスクを処理する過程と
からなることを特徴とする表示方法。
（項目２6）
前記移動通信端末機が１つのタスクのみを行う場合、タスクを処理しない表示部は待機状態を維持することを特徴とする項目２5に記載の表示方法。
（項目２7）
前記移動通信端末機が２つ以上のタスクを実行中である場合、ユーザーの指示に従って前記タスクを第１表示部と第２表示部にそれぞれ表示することを特徴とする項目２5に記載の表示方法。
（項目28）
前記受信された指示が表示切り替えを意味する場合、活性化の表示部のタスクと非活性化の表示部のタスクとを切り替えて表示することを特徴とする項目２5に記載の表示方法。
（項目29）
前記受信された指示がタスクリスト表示を意味する場合、前記活性化の表示部に、現在実行中であるか、又は実行可能なタスクのリストを表示することを特徴とする項目２5に記載の表示方法。
（項目30）
前記受信された指示が 活性化表示部の切り替えを意味する場合、現在活性化された表示部を非活性化させ、非活性化された表示部を活性化させることを特徴とする項目２5に記載の表示方法。
（項目31）
ユーザーの指示を受信する入力部と、
同時に2つ以上のタスクを行うことができ、前記受信された指示を表示部に伝達する制御部と、
前記指示に従って表示を行う第１表示部と、
前記指示に従って前記第１表示部に表示を行う第２表示部と
から構成されることを特徴とする移動通信端末機の表示装置。
（項目３2）
前記タスクは、
独立的であることを特徴とする項目31に記載の移動通信端末機の表示装置。
（項目３3）
前記第２表示部は、
第１表示部と独立的に動作することを特徴とする項目31に記載の移動通信端末機の表示装置。
（項目３4）
前記第２表示部は、
前記受信された指示がタスクリストの表示を意味する場合、現在実行中であるか、又は実行可能なタスクのリストを第１表示部に表示することを特徴とする項目31に記載の移動通信端末機の表示装置。
（項目３5）
前記第２表示部は、
前記タスクのリストを第１表示部の下段に表示することを特徴とする項目３4に記載の移動通信端末機の表示装置。
（項目36）
前記第２表示部は、
前記タスクのリストをポップアップ形式で第１表示部に表示することを特徴とする項目３4に記載の移動通信端末機の表示装置。
（項目37）
前記制御部は、
ユーザーが前記リストのタスクのうち１つを選択したとき、前記選択されたタスクを前記第１表示部に表示することを特徴とする項目３4に記載の移動通信端末機の表示装置。
（項目38）
ユーザーが所望する画面を選択可能にする表示部選択手段をさらに含むことを特徴とする項目31に記載の移動通信端末機の表示装置。
【発明の効果】
【００２４】
本発明は、複数の表示部を利用して複数のタスクを同時に処理する移動通信端末機を実現し、ユーザーにマルチタスクを実行する移動通信端末機を提供できるという効果がある。
【００２５】
本発明は、特に、移動通信端末機がそれぞれ独立的な表示を行う複数の表示部を備えることにより、インスタントメッセンジャーと動画再生のように表示装置を利用する複数のタスクを同時に処理できるという効果がある。
【発明を実施するための最良の形態】
【００２６】
以下、図面に基づいて本発明の望ましい実施形態を説明する。
【００２７】
図１は、本発明に係る移動通信端末機の表示装置の構成図である。
【００２８】
図１に示すように、本発明に係る移動通信端末機１００は、ユーザーの指示を受信する入力部（例: キーパッド）１０と、同時に２つ以上のタスクを実行でき、前記受信されたユーザーの指示を表示部３０、４０に伝達する制御部２０と、前記指示に従って表示を行う第１表示部３０と、第１表示部３０と同時に見える位置に設けられ、前記指示に従って表示を行う第２表示部４０とを含む。
【００２９】
図２〜図６は、本発明が適用可能な移動通信端末機の類型を示す図である。
【００３０】
図２Ａ〜図２Ｆは、本発明を適用した折り畳み型移動通信端末機の例を示す図である。
【００３１】
図２Ａ〜図２Ｆに示した折り畳み型移動通信端末機の基本構造は、第１本体２００、第２本体３００、第１表示部３０、第２表示部４０、及び端末機の一方の本体（例: 第２本体）を他方の本体（例: 第１本体）に対して回動可能にするヒンジ部４００から構成される。 
【００３２】
図２の折り畳み型移動通信端末機は、端末機の本体（第１又は第２本体）が横方向に回動する端末機と、縦方向に回動する端末機に大別される。
【００３３】
図２Ａ〜図２Ｄは、端末機の本体を縦方向に回動させる折り畳み型移動通信端末機を示し、本発明に係る折り畳み型移動通信端末機は、図２Ａ及び図２Ｃに示すように、第１表示部３０と第２表示部４０を１つの本体（第１又は第２本体）に取り付けることもでき、図２Ｂ及び図２Ｄに示すように、第１表示部３０と第２表示部４０を第１本体２００と第２本体３００にそれぞれ取り付けることもできる。
【００３４】
さらに、図２Ｅ及び図２Ｆは、端末機の本体を横方向に回動させる折り畳み型移動通信端末機を示し、本発明に係る折り畳み型移動通信端末機は、図２Ｅに示すように、第１表示部３０と第２表示部４０を１つの本体（第１又は第２本体）に取り付けることもでき、図２Ｆに示すように、第１表示部３０と第２表示部４０を第１本体２００と第２本体３００にそれぞれ取り付けることもできる。
【００３５】
図３Ａ〜図３Ｃは、本発明を適用したスライド型移動通信端末機の例を示す図である。
【００３６】
図３Ａ〜図３Ｃに示すスライド型移動通信端末機の基本構造は、第１本体２００、第２本体３００、第１表示部３０、第２表示部４０、及び端末機の一方の本体（例: 第２本体）を他方の本体（例: 第１本体）の上下方向に押し上げ又は押し下げ可能にする摺動部（図示せず）から構成される。
【００３７】
本発明は、図３Ａに示すように、第１表示部３０と第２表示部４０を両方ともスライド型移動通信端末機の第１本体２００に取り付けて実現するか、図３Ｂ及び図３Ｃに示すように、第１表示部３０と第２表示部４０をスライド型移動通信端末機の第１本体２００と第２本体３００にそれぞれ取り付けて実現できる。
【００３８】
図３Ｂに示すスライド型移動通信端末機は、第１表示部３０を第１本体２００に備え、第２表示部４０を第２本体３００の下段に備えることで、ユーザーが第２本体３００を上方に押し上げたとき、第２表示部４０が現れるように実現される。
【００３９】
図３Ｃに示すスライド型移動通信端末機は、第１表示部３０を第１本体２００に備え、第２表示部４０を第２本体３００の上段に備えることで、ユーザーが第２本体３００を下方向に押し下げたとき、第２表示部４０が現れるように実現される。
【００４０】
図４は、本発明を適用したフリップ型移動通信端末機の一例を示す図である。
【００４１】
図４に示すように、本発明に係るフリップ型移動通信端末機は、第１表示部３０、第２表示部４０、本体２００、及び該本体２００の一部を覆うカバー部５０から構成される。
【００４２】
本発明に係るフリップ型移動通信端末機は、図４に示すように、第２表示部４０を本体２００の下段に備えることで、ユーザーがカバー部５０を開いたとき、第２表示部４０が現れるように実現される。
【００４３】
図５は、本発明を適用したストレート型移動通信端末機の一例を示す図である。
【００４４】
本発明に係るストレート型移動通信端末機は、図５に示すように２つの表示部３０、４０を備えるが、外見上１つの表示部のみを備えるように実現することもできる。すなわち、画面を２つ（第１及び第２表示区域）、あるいはそれ以上の区域に分けてそれぞれの区域が独立的な表示を行う表示部を備える。
【００４５】
このように２つの表示部３０、４０の代わりに、複数の区域を有する１つの表示部を備える構成は、前述した折り畳み型移動通信端末機、スライド型移動通信端末機、フリップ型移動通信端末機にも同様に適用できる。
【００４６】
図６Ａ〜図６Ｃは、本発明を適用した折り畳み型移動通信端末機の他の例を示す図であり、端末機を折り畳んだ状態、すなわち、２つの本体が重なった状態（閉じた状態）でも第２表示部４０が外部に露出する構造を有する折り畳み型移動通信端末機を示す。
【００４７】
図６Ａ〜図６Ｃに示す折り畳み型移動通信端末機の基本構造は、第１本体２００、第２本体３００、第１表示部３０、第２表示部４０、端末機の一方の本体（例: 第２本体）を他方の本体（例: 第１本体）に対して回動可能にするヒンジ部４００、及び第１本体２００と第２本体３００が重なった状態（閉じた状態）で外部衝撃から第２表示部４０を保護する透明保護ウィンドウ６０から構成される。
【００４８】
第２本体３００には、図６Ｂに示すように、移動通信端末機１００を折り畳んだ状態で第２表示部４０が外部に露出するように、第２表示部４０を収容できる空間を第２表示部４０の形状に対応するように形成する。
【００４９】
図６Ｂは、図６Ａの移動通信端末機を分解した図であり、図６Ｃは、図６Ａの移動通信端末機の閉じた状態を前面から見た図である。
【００５０】
前述した図２Ａ〜図２Ｆの移動通信端末機は、第２本体３００の外側に第３表示部（図示せず）、すなわち、外部表示部を備える。しかしながら、電力消耗を考慮して移動通信端末機を設計する場合は、外部表示部を備えないことが好ましい。
【００５１】
本発明に係る移動通信端末機は、第１表示部３０と第２表示部４０を利用して、複数のタスクを同時に表示するが、ユーザーが一方の表示部のタスクを処理する間、他方の表示部は非活性状態を維持する。すなわち、ユーザーが第１表示部３０のタスクを処理する場合、移動通信端末機の制御部２０は、第１表示部３０を活性化させ、第２表示部４０は非活性化させる。逆に、第２表示部４０のタスクを処理する場合は、第１表示部３０を非活性化させ、第２表示部４０を活性化させる。
【００５２】
このために、本発明に係る移動通信端末機は、ユーザーが表示部３０、４０を選択できるように別途の表示部選択手段を備える。また、表示部選択手段として、キーパッドに備えられたボタンを活用するか、あるいは端末機本体に別途の選択ボタン（Soft Key）を備えることもできる。
【００５３】
本実施形態では、前記表示部選択手段（又は、活性化切り替え手段）として、図６Ｂに示すように、端末機本体にＵｐ選択ボタン１７７ａとＤｏｗｎ選択ボタン１１７ｂからなる別途の選択ボタン１１７ａ、１１７ｂを追加したと仮定する。
【００５４】
ユーザーがＵｐ選択ボタン１１７ａを押すと、第１表示部３０が活性化され、入力部１０から入力される信号は第１表示部３０で実行されるタスクに入力される。
【００５５】
ユーザーがＤｏｗｎ選択ボタン１１７ｂを押すと、第２表示部４０が活性化され、入力部１０を通じて入力される信号は第２表示部４０で実行されるタスクに入力される。
【００５６】
ユーザーがＵｐ選択ボタン１１７ａやＤｏｗｎ選択ボタン１１７ｂを長く（所定時間（例: ３秒間）以上）押すと、移動通信端末機１００は表示切り替え（本発明の第２実施形態を参照）を実行する。
【００５７】
第１表示部３０と第２表示部４０が入力可能な表示装置（例: タッチスクリーン）により実現された場合、ユーザーは、別途の表示部選択手段（例: Ｕｐ選択ボタン１１７ａやＤｏｗｎ選択ボタン１１７ｂ）を備えずに簡単な画面タッチのみにより前述したような動作を行うことができる。
【００５８】
以上の表示部選択手段は、移動通信端末機が２つの表示部３０、４０の代わりに、複数の区域を有する１つの表示部を備えた場合にも同様に動作する。
【００５９】
前記の同時に行われる複数のタスクは、互いに同等で独立的な関係を有し、前記タスクは、移動通信端末機が一般に提供する機能を意味し、その種類は次の通りである。
【００６０】
１）オンラインサービス（例: オンラインゲーム、無線インターネットサービス、ＶＯＤ（Video on Demand）サービス、ファイルダウンロードなど）
２）メッセージサービス（例: チャット、インスタントメッセンジャー、ショートメッセージサービス、マルチメディアメッセージ、電子メールなど）
３）通話サービス（例: 音声通話、テレビ電話など）
４）撮影機能（例:動画像、静止画像）
５）各種付加機能（例: スケジューラー、電話帳検索、計算機、メモ帳、通話録音、録画、端末機状態の設定、カレンダー検索、世界時間表示、アラーム（又は、モーニングコール）設定、動画や音楽ファイルの再生など）。
【００６１】
以下、本発明に係る移動通信端末機の動作を説明する。
【００６２】
図７は、本発明に係る移動通信端末機の表示方法を示すフローチャートであり、図８〜図１１は、本発明に係る移動通信端末機の第１表示部と第２表示部を示す図である。
【００６３】
図７に示すように、本発明に係る移動通信端末機は、まず、入力部１０からユーザーの指示が入力され、前記入力された指示に従って１つ又はそれ以上のタスクを順に実行する。そして、実行された順序に従って又はユーザーの指示に従って、制御部２０が、第１表示部３０と第２表示部４０に前記実行されたタスクを表示する（Ｓ１０、Ｓ２０）。
【００６４】
その後、入力部１０からユーザーの新しい指示が入力されると、制御部２０は、どの表示部に関する指示であるかを判断し、前記入力された指示が現在非活性化の表示部に関する指示（又は、現在非活性の表示部を活性化させる指示）であると、現在の非活性化の表示部を活性化させ、該当タスクを処理する（Ｓ３０）。
【００６５】
図８Ａ〜図８Ｃは、本発明に係る移動通信端末機の表示方法の第１実施形態を示す図である。
【００６６】
まず、図８Ａは、本発明に係る移動通信端末機１００が１つのタスクのみを実行する場合を示す。図８Ａの第１表示部３０は、インスタントメッセンジャーに登録されたメンバー（buddy）を表示し、ユーザーが現在誰と対話中であるか、誰がオンライン状態であるか、誰がオフライン状態であるかを詳細に表示している。さらに、第２表示部４０は、待機画面を表示している。
【００６７】
図８Ａに示すように、本発明に係る移動通信端末機１００が１つのタスクのみを実行する場合、制御部２０は、２つの画面３０、４０の１つを待機状態に維持させる。すなわち、第１表示部４０が実行中のタスク（例: インスタントメッセンジャー）を表示する場合、制御部２０は第２表示部３０を待機状態に維持させ、第２表示部４０が実行中のタスク（例: インスタントメッセンジャー）を表示する場合は、第１表示部３０を待機状態に維持させる。
【００６８】
次の表１は、図８Ａの実施形態を表す。
【００６９】
【表１】
2006087108.tif 000003
図８Ｂは、移動通信端末機１００が２つのタスク（例: インスタントメッセンジャー、電話帳検索）を同時に実行する場合を示す。図８Ｂの第１表示部３０には、図８Ａの場合のように、インスタントメッセンジャーウィンドウが表示され、第２表示部４０には電話帳検索ウィンドウが表示されている。
【００７０】
図８Ｂの実施形態は、ユーザーがインスタントメッセンジャーを利用すると同時に、相手の電話番号を検索しようとする場合を示し、本発明に係る移動通信端末機１００は、第１表示部３０に特定タスク（例: インスタントメッセンジャー）を表示すると同時に、第２表示部４０を通じて他のタスク（例: 電話帳検索）を表示することで、ユーザーは２つの独立したタスク（例:インスタントメッセンジャーと電話帳検索）を同時に処理することができる。
【００７１】
次の表２は、図８Ｂの実施形態を表す。
【００７２】
【表２】
2006087108.tif 000004
図８Ｃは、移動通信端末機１００が３つのタスク（例: インスタントメッセージ、電話帳検索、及びスケジュール管理）を同時に実行する場合を示す。図８Ｃの第１表示部３０は、図８Ａの場合のように、インスタントメッセンジャーウィンドウを表示し、第２表示部４０は、現在実行中のタスク（インスタントメッセンジャー、電話帳検索、スケジュール管理）のアイコン６１、６２、６３を表示している。
【００７３】
図８Ｃに示すように、実行中のタスクのアイコン６１、６２、６３を表示部（３０又は４０）に表示させるために特定ボタン（又は、キー）を押すと、制御部２０は、入力部１０から入力された指示を認知し、インスタントメッセンジャー、電話帳検索及びスケジュール管理のアイコン６１、６２、６３を第２表示部４０に表示する。その後、ユーザーが方向キー（←、↑、→、↓）を操作して特定アイコンを選択すると、制御部２０は、該当タスクのウィンドウを第２表示部４０に表示する。
【００７４】
図８Ｃは、該当タスクウィンドウを第２表示部４０に表示したが、ユーザーが第１表示部３０に表示させることもできる。
【００７５】
次の表３は、図８Ｃの実施形態を表す。
【００７６】
【表３】
2006087108.tif 000005
図９と図１０は、本発明に係る移動通信端末機の表示方法の第２実施形態を示す。本発明に係る移動通信端末機１００の表示方法の第２実施形態は、ユーザーが所定ボタンを押したとき、第１表示部３０のタスク（例: ショートメッセージ入力）と第２表示部４０のタスク（例: スケジュール管理）を切り替えて表示する場合を示す。
【００７７】
図９に示すように、移動通信端末機１００が第１表示部３０にショートメッセージ入力ウィンドウを表示し、第２表示部４０にはスケジュール管理ウィンドウを表示しているとき、ユーザーがタスクの表示切り替えを指示すると、制御部２０は、図１０に示すように、第１表示部３０のタスクと第２表示部４０のタスクを切り替えて表示する。
【００７８】
このような表示切り替えは、ユーザーがＵｐ選択ボタン１１７ａやＤｏｗｎ選択ボタン１１７ｂを所定時間（例: ３秒間）以上押したとき、あるいはＵｐ選択ボタン１１７ａとＤｏｗｎ選択ボタン１１７ｂを同時に所定時間（例: ３秒間）以上押したときに行われる。
【００７９】
図９において、第２表示部４０の上部に表示されたアイコン６１、６３、６４は移動通信端末機１００の現在実行中のタスクを示す。前記アイコン６１、６３、６４を見ることで、ユーザーは移動通信端末機１００における現在実行中のタスクが分かる。
【００８０】
表４は、本発明の第２実施形態を表す。
【００８１】
【表４】
2006087108.tif 000006
図１１は、本発明に係る移動通信端末機の表示方法の第３実施形態を示し、新しいタスクの追加実行に関する。
【００８２】
ユーザーが所定ボタンを押して第１表示部３０を活性化させた後、新しいタスクの追加実行のために特定キー（例: メニューキー）を押すと、制御部２０は、図１１に示すように、第１表示部３０にメニュー項目を表示する。
【００８３】
そうすると、ユーザーは、第１表示部３０に表示されたメニュー項目のアイコンのうち１つを選択し、制御部２０は、前記選択されたアイコンに該当するタスクを実行させる。その後、前記選択されたアイコンを第２表示部４０の現在実行中のタスクリストに新しく追加する。
【００８４】
前記の現在実行中のタスクリストは、第２表示部４０の上側にアイコンの形態で表示され、ユーザーは、これらアイコンを見るとインスタントメッセンジャー６１、スケジュール管理６３、ショートメッセージ入力６４が端末機において実行中であることが分かる。
【００８５】
次に表５は、本発明の第３実施形態を表す。
【００８６】
【表５】
2006087108.tif 000007
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した参考文献は、その内容自体が具体的に本明細書に記載されているのと同様にその内容が本明細書に対する参考として援用されるべきであることが理解される。
【図面の簡単な説明】
【００８７】
【図１】本発明に係る移動通信端末機の表示装置の構成図である。
【図２Ａ】本発明に係る折り畳み型移動通信端末機を示す図である。
【図２Ｂ】本発明に係る折り畳み型移動通信端末機を示す図である。
【図２Ｃ】本発明に係る折り畳み型移動通信端末機を示す図である。
【図２Ｄ】本発明に係る折り畳み型移動通信端末機を示す図である。
【図２Ｅ】本発明に係る折り畳み型移動通信端末機を示す図である。
【図２Ｆ】本発明を適用した折り畳み型移動通信端末機を示す図である。
【図３Ａ】本発明を適用したスライド型移動通信端末機を示す図である。
【図３Ｂ】本発明を適用したスライド型移動通信端末機を示す図である。
【図３Ｃ】本発明を適用したスライド型移動通信端末機を示す図である。
【図４】本発明を適用したフリップ型移動通信端末機の一例を示す図である。
【図５】本発明を適用したストレート型移動通信端末機の一例を示す図である。
【図６Ａ】本発明を適用した折り畳み型移動通信端末機の他の例を示す図である。
【図６Ｂ】本発明を適用した折り畳み型移動通信端末機の他の例を示す図である。
【図６Ｃ】本発明を適用した折り畳み型移動通信端末機の他の例を示す図である。
【図７】本発明に係る移動通信端末機の表示方法を示すフローチャートである。
【図８Ａ】本発明に係る移動通信端末機の表示方法の第１実施形態を示す図である。
【図８Ｂ】本発明に係る移動通信端末機の表示方法の第１実施形態を示す図である。
【図８Ｃ】本発明に係る移動通信端末機の表示方法の第１実施形態を示す図である。
【図９】本発明に係る移動通信端末機の表示方法の第２実施形態（ディスプレイ切り替えの以前）を示す図である。
【図１０】本発明に係る移動通信端末機の表示方法の第２実施形態（ディスプレイ切り替えの以後）を示す図である。
【図１１】本発明に係る移動通信端末機の表示方法の第３実施形態を示す図である。
【符号の説明】
【００８８】
１０：入力部
２０：制御部
３０：第１表示部
４０：第２表示部
５０：カバー部
６０：透明保護ウィンドウ
１００：移動通信端末機
１１７ａ、１１７ｂ：表示部選択ボタン
２００：第１本体
３００：第２本体
４００：ヒンジ部
【図１】
2006087108.tif 000008
【図２Ａ】
2006087108.tif 000009
【図２Ｂ】
2006087108.tif 000010
【図２Ｃ】
2006087108.tif 000011
【図２Ｄ】
2006087108.tif 000012
【図２Ｅ】
2006087108.tif 000013
【図２Ｆ】
2006087108.tif 000014
【図３Ａ】
2006087108.tif 000015
【図３Ｂ】
2006087108.tif 000016
【図３Ｃ】
2006087108.tif 000017
【図４】
2006087108.tif 000018
【図５】
2006087108.tif 000019
【図６Ａ】
2006087108.tif 000020
【図６Ｂ】
2006087108.tif 000021
【図６Ｃ】
2006087108.tif 000022
【図７】
2006087108.tif 000023
【図８Ａ】
2006087108.tif 000024
【図８Ｂ】
2006087108.tif 000025
【図８Ｃ】
2006087108.tif 000026
【図９】
2006087108.tif 000027
【図１０】
2006087108.tif 000028
【図１１】
2006087108.tif 000029